(57)【要約】【課題】  本発明は、デジタルカメラ等の撮像装置に関し、撮像素子ユニットの前方に比較的大きなスペースを確保することを目的とする。【解決手段】  レンズマウント部が設けられた主構造体と、前記レンズマウント部および前記主構造体を通過した撮影光束を受光する撮像素子ユニットとを備え、前記主構造体に前記撮像素子ユニットを固定するとともに、前記主構造体と前記撮像素子ユニットとの間に構造体を配置することなく空間部を形成してなることを特徴とする。【選択図】      図２
2008228070.tif 000002
【特許請求の範囲】
【請求項１】
レンズマウント部が設けられた主構造体と、
前記レンズマウント部および前記主構造体を通過した撮影光束を受光する撮像素子ユニットとを備え、
前記主構造体に前記撮像素子ユニットを固定するとともに、前記主構造体と前記撮像素子ユニットとの間に構造体を配置することなく空間部を形成してなることを特徴とする撮像装置。
【請求項２】
請求項１記載の撮像装置において、
前記主構造体の一側に、第１の側部構造体を固定してなることを特徴とする撮像装置。
【請求項３】
請求項２記載の撮像装置において、
前記主構造体の前記一側とは反対側の他側に、第２の側部構造体を固定してなることを特徴とする撮像装置。
【請求項４】
請求項１ないし請求項３のいずれか１項記載の撮像装置において、
前記空間部に、電気実装基板を配置してなることを特徴とする撮像装置。
【請求項５】
請求項４記載の撮像装置において、
前記撮像素子ユニットを挟んで前記空間部とは反対側に存在する空間部にも、電気実装基板を配置してなることを特徴とする撮像装置。
【請求項６】
レンズマウント部が設けられた主構造体と、
前記レンズマウント部および前記主構造体を通過した撮影光束を受光する撮像素子ユニットとを備え、
前記主構造体に前記撮像素子ユニットを固定するとともに、前記主構造体の少なくとも一側に側部構造体を固定してなることを特徴とする撮像装置。
【請求項７】
請求項６記載の撮像装置において、
前記主構造体の両側に側部構造体を固定してなることを特徴とする撮像装置。
【請求項８】
請求項２、３、６、７のいずれか１項記載の撮像装置において、
前記主構造体および前記側部構造体を、底部構造体に固定してなることを特徴とする撮像装置。
【請求項９】
請求項２、３、６、７、８のいずれか１項記載の撮像装置において、
前記側部構造体は、撮像装置の上面視Ｌ字状またはＵ字状をしていることを特徴とする撮像装置。
【請求項１０】
請求項１ないし請求項９のいずれか１項記載の撮像装置において、
前記主構造体は、ミラーボックスであることを特徴とする撮像装置。
【発明の詳細な説明】
【技術分野】
【０００１】
本発明は、デジタルカメラ等の撮像装置に関する。
【背景技術】
【０００２】
従来、一眼レフデジタルカメラとして、レンズマウント部が設けられたミラーボックスの後側にメインシャーシを介して撮像素子ユニットを設けたものが知られている。そして、メインシャーシに撮像素子ユニットを固定することなく、メインシャーシに貫通穴を形成し、撮像素子ユニットをミラーボックスに固定したものが知られている。このようなカメラでは、撮影レンズに外力が作用した場合に、レンズマウント面とセンサ受光面との距離が変化することを有効に防止することができる。
【特許文献１】特開２００４−１０４１６８号公報
【発明の開示】
【発明が解決しようとする課題】
【０００３】
しかしながら、上述したカメラでは、ミラーボックスと撮像素子ユニットとの間にメインシャーシが位置しているため、撮像素子ユニットの前方のスペースが小さくなり、電気実装基板等の部材を効率良く配置することが困難になるという問題があった。
本発明は、かかる従来の問題を解決するためになされたもので、撮像素子ユニットの前方に比較的大きなスペースを確保することができる撮像装置を提供することを目的とする。
【課題を解決するための手段】
【０００４】
本発明の撮像装置は、レンズマウント部が設けられた主構造体と、前記レンズマウント部および前記主構造体を通過した撮影光束を受光する撮像素子ユニットとを備え、前記主構造体に前記撮像素子ユニットを固定するとともに、前記主構造体と前記撮像素子ユニットとの間に構造体を配置することなく空間部を形成してなることを特徴とする。
また、本発明の撮像装置は、レンズマウント部が設けられた主構造体と、前記レンズマウント部および前記主構造体を通過した撮影光束を受光する撮像素子ユニットとを備え、前記主構造体に前記撮像素子ユニットを固定するとともに、前記主構造体の少なくとも一側に側部構造体を固定してなることを特徴とする。
【発明の効果】
【０００５】
本発明では、撮像素子ユニットの前方に比較的大きなスペースを確保することができる。
【発明を実施するための最良の形態】
【０００６】
以下、本発明の一実施形態を図面を用いて詳細に説明する。
図１は、本発明の一実施形態である一眼レフデジタルカメラに配置される構造体の構成を示している。ここで構造体とは、カメラの基本的な強度を維持する強度部材をいう。
主構造体であるミラーボックス１１の一側(後述するレンズマウント部１９を通過する撮影光路を挟んで一方の側部の側)には、第１の側部構造体１３が配置されている。ミラーボックス１１の他側(レンズマウント部１９を通過する撮影光路を挟んで他方の側部の側)には、第２の側部構造体１５が配置されている。ミラーボックス１１、第１の側部構造体１３、第２の側部構造体１５の下方(−Ｚ方向)には、底部構造体１７が配置されている。ミラーボックス１１、第１の側部構造体１３、第２の側部構造体１５、底部構造体１７は、アルミ、鉄、ステンレス、マグネシウム、チタン等の金属により形成されている。
【０００７】
ミラーボックス１１の前部に形成される大径部１１ａには、レンズマウント部１９が設けられている。レンズマウント部１９には、交換レンズ(不図示)がバヨネット機構等によって着脱可能に装着される。レンズマウント部１９に交換レンズを装着することにより、一眼レフタイプの撮像システムが構成される。なお、本実施形態のレンズマウント部１９は、ミラーボックス１１に取り付け固定されているが、ミラーボックスと一体的に形成しても良い。
【０００８】
ミラーボックス１１の上部(Ｚ方向)には、ペンタプリズム２１が設けられている。ミラーボックス１１の両側側面には、それぞれ４箇所のボス部２３が突出形成されている。
第１の側部構造体１３は、上面視(−Ｚ方向からカメラを見た場合)で断面がＵ字状をしており、開口側を前方に向けて位置されている。第１の側部構造体１３のミラーボックス１１側の辺部１３ａには、ミラーボックス１１のボス部２３に対応する位置に貫通穴２５が形成されている。貫通穴２５の内径は、ビス２７の頭部２７ａより小径で螺子部２７ｂより大径とされている。第１の側部構造体１３のミラーボックス１１と反対側の辺部１３ｂには、貫通穴２５に対応する位置に貫通穴２９が形成されている。貫通穴２９の内径は、ビス２７の頭部２７ａより大径とされている。そして、治具(不図示)によりビス２７を貫通穴２９の方向から進入させ、ビス２７の螺子部２７ｂを貫通穴２５に挿入し、ボス部２３の雌螺子部２３ａに螺合することにより、第１の側部構造体１３がミラーボックス１１に固定される。
【０００９】
第２の側部構造体１５は第１の側部構造体１３と同様に、上面視で断面がＵ字状をしており、開口側を前方に向けて位置されている。この実施形態では、第２の側部構造体１５は、第１の側部構造体１３と略同様に構成されており、第１の側部構造体１３と略同様にしてミラーボックス１１のボス部２３に固定される。従って、詳細な説明を省略する。
底部構造体１７は平板状をしている。底部構造体１７には、複数の貫通穴３１が形成されている。貫通穴３１の内径は、ビス２７の頭部２７ａより小径で螺子部２７ｂより大径とされている。一方、第１の側部構造体１３および第２の側部構造体１５の底部構造体１７側には、取付部３３が直角方向に突出して一体形成されている。そして、第１の側部構造体１３、第２の側部構造体１５が、ビス２７の螺子部２７ｂを貫通穴３１に挿入し取付部３３の雌螺子部３３ａに螺合することにより底部構造体１７に固定される。また、ミラーボックス１１が、ビス２７の螺子部２７ｂを貫通穴３１に挿入し、ミラーボックス１１の大径部１１ａの底面に形成される雌螺子部(不図示)に螺合することにより底部構造体１７に固定される。
【００１０】
図２および図３は、図１の構造体の構成を有する一眼レフデジタルカメラを示している。
図２において、ミラーボックス１１の前部の大径部１１ａには、レンズマウント部１９が固定されている。ミラーボックス１１内には、ミラーユニット３５が配置されている。ミラーユニット３５は、周知のメインミラー(不図示)とサブミラー(不図示)を有している。ミラーボックス１１の底部には、開口部１１ｂが形成されている。開口部１１ｂの下側には、図３示すように焦点検出ユニット３７が配置されている。
【００１１】
図２において、ミラーボックス１１の後方(＋Ｙ方向)には、撮像素子ユニット３９が配置されている。撮像素子ユニット３９は、レンズマウント部１９およびミラーボックス１１を通過した撮影光束を受光する。撮像素子ユニット３９は、撮像素子３９ａ、支持部材３９ｂを有している。撮像素子３９ａはＣＣＤ、Ｃ−ＭＯＳ等からなり撮影光束を光電変換する。支持部材３９ｂは撮像素子３９ａを支持する。支持部材３９ｂは、ミラーボックス１１の後面に形成されるボス部１１ｃにビス４１により固定されている。これにより、ミラーボックス１１の後面と撮像素子ユニット３９との間に構造体が配置されない比較的大きな空間部Ｓ１を形成することができる。また、撮像素子ユニット３９をミラーボックス１１に直接固定することにより、レンズマウント部１９と撮像素子３９ａの受光面との距離が変化することを有効に防止することができる。
【００１２】
空間部Ｓ１には、シャッタユニット４３、第１の電気実装基板４５が配置されている。シャッタユニット４３は、駆動部４３ａとシャッタ４３ｂとを有している。駆動部４３ａは、第１の側部構造体１３側に配置されている。シャッタ４３ｂは、撮像素子３９ａの前方を覆って配置されている。第１の電気実装基板４５は、シャッタ４３ｂと撮像素子３９ａとの間に配置されている。第１の電気実装基板４５は、電源、駆動機構等を制御する基板として補助的に用いられる。また、第１の電気実装基板４５には、ＳＤカード４７を挿脱するためのＳＤスロット４９が実装されている。第１の電気実装基板４５には、撮像素子３９ａに対応する位置に撮影光束を通過させる開口(不図示)が形成されている。
【００１３】
撮像素子ユニット３９を挟んで空間部Ｓ１と反対側(撮像素子ユニット３９の＋Ｙ側)には、空間部Ｓ２が形成されている。空間部Ｓ２には、第２の電気実装基板５１が配置されている。第２の電気実装基板５１は、撮像処理等を行う主基板として用いられる。第２の電気実装基板５１の後方(＋Ｙ側)には、背面液晶ユニット５３が配置されている。
第１の側部構造体１３内には、閃光装置(不図示)用のコンデンサ５５が配置されている。コンデンサ５５は支持部材５７に支持されている。第２の側部構造体１５内には、電源用のバッテリー５９が配置されている。バッテリー５９は、支持部材６１に支持されている。
【００１４】
第１の側部構造体１３、ミラーボックス１１、第２の側部構造体１５、第２の電気実装基板５１の外側を覆って、カメラ筐体６３が配置されている。カメラ筐体６３の第２の側部構造体１５側には、グリップ部６５が形成されている。
図３において、ミラーボックス１１の上方(＋Ｚ方向)には、ペンタプリズム２１が配置されている。ペンタプリズム２１は、ファインダ光学系の構成要素の１つであり、ピント板(不図示)に結像した被写体像をファインダ接眼部(不図示)へ導く。カメラ筐体６３の上部には、閃光装置(不図示)を装着するためのホットシュー６７が配置されている。
【００１５】
上述した図１は構造体の構成を簡略的に示したものであるが、図２および図３に示す構造体の図示形状とは一部異なっている。しかしながら本発明上は、どちらの図示の形態を採用しても構わない。例えば、第１の側部構造体１３および第２の側部構造体１５に形成される取付部３３の位置が図１と図２では異なっている。すなわち、図２において、第１の側部構造体１３の底部には、３箇所全ての取付部３３が第１の側部構造体１３の内側に向けて形成されている。図２の構成を採用すれば、取付部３３が第１の側部構造体１３から外側に向けて突出することがなくなり、取付部３３がカメラ筐体６３に干渉することがなくなる。また、図２において、第２の側部構造体１５のカメラ筐体６３側(−Ｘ側)の辺部１５ａは、ミラーボックス１１側の辺部１５ｂより長くなっているが、この構成を採用すれば、バッテリー５９を確実に支持することが可能になる。また図２では、第２の側部構造体１５の辺部１５ａの底部には、取付部３３がカメラ筐体６３側(−Ｘ側)に突出して形成されているが、この構成を採用すれば、第２の側部構造体１５を底部構造体１７により強固に固定することができる。
【００１６】
上述したカメラでは、ミラーボックス１１と撮像素子ユニット３９との間に構造体を配置することなく空間部Ｓ１を形成するようにしたので、撮像素子ユニット３９の前方に比較的大きなスペースを確保することができる。従って、カメラ内に電気実装基板４５，５１等の部材を効率良く配置することが可能になる。
また、ミラーボックス１１の両側に側部構造体１３，１５を配置し、ミラーボックス１１と側部構造体１３，１５を底部構造体１７に連結したので、構造体全体としての強度を高めることができる。すなわち、ミラーボックス１１の両側に側部構造体１３，１５を単に固定するだけでは、特に、上下方向の強度が不足する。しかしながら、ミラーボックス１１と側部構造体１３，１５を底部構造体１７に連結することにより、上下左右方向の強度を増大することができる。
【００１７】
さらに、第１の側部構造体１３および第２の側部構造体１５をＵ字状(上面視)にしたので、構造体の剛性を高めることができる。また、第１の側部構造体１３、第２の側部構造体１５内に配置される部材を確実に保護することができる。
(実施形態の補足事項)
以上、本発明を上述した実施形態によって説明してきたが、本発明の技術的範囲は上述した実施形態に限定されるものではなく、例えば、以下のような形態でも良い。
【００１８】
(１)上述した実施形態では、ミラーボックス１１、第１の側部構造体１３、第２の側部構造体１５、底部構造体１７を別体で形成した例について説明したが、これらのうちの少なくともいずれか２つ、または全てを一体的に形成しても良い。
(２)上述した実施形態では、ミラーボックス１１、第１の側部構造体１３、第２の側部構造体１５、底部構造体１７を金属により形成した例について説明したが、例えば、樹脂により形成しても良い。
【００１９】
(３)上述した実施形態では、第１の側部構造体１３、第２の側部構造体１５をＵ字状(上面視)にした例について説明したが、例えば、Ｌ字状等(上面視)にしても良い。その場合、第１の側部構造体１３は、凹部１３ｂが、第２の側部構造体１５は辺部１５ａが、それぞれ削除された構成となる。
(４)上述した実施形態では、空間部Ｓ１に第１の電気実装基板４５を配置した例について説明したが、電気実装基板以外の部材を配置しても良い。
【００２０】
(５)上述した実施形態では、ミラーボックス１１の両側に側部構造体１３，１５を配置した例について説明したが、片側にのみ側部構造体を配置するようにしても良い。
(６)上述した実施形態では、本発明を一眼レフデジタルカメラに適用した例について説明したが、ビデオカメラ等の撮像装置に広く適用することができる。
【図面の簡単な説明】
【００２１】
【図１】本発明の一実施形態のカメラの構造体構造を示す説明図である。
【図２】図１の構造体構造を有するカメラの水平断面を示す説明図である。
【図３】図１の構造体構造を有するカメラの垂直断面を示す説明図である。
【符号の説明】
【００２２】
１１…ミラーボックス、１３…第１の側部構造体、１５…第２の側部構造体、１７…底部構造体、１９…レンズマウント部、３９…撮像素子ユニット、４５…第１の電気実装基板、５１…第２の電気実装基板、Ｓ１，Ｓ２…空間部。
【図１】
2008228070.tif 000003
【図２】
2008228070.tif 000004
【図３】
2008228070.tif 000005